(57)【要約】      （修正有）【課題】灼熱の直射日光を分散遮断して、高温度直射熱を吸収し難い形状記憶加工シートを提供する。【解決手段】三角錐四面体にある空気流通不能遮断部を、シェルビンスキーのギャスケット状に配置し、三角錐四面体の底面部分の三角図形を除去する。【選択図】図２
0003169150.tif 000002
【実用新案登録請求の範囲】
【請求項１】
シェルビンスキ−のギャスケットを応用した三角錐４面体の、フラクタル３次元構造を単純化した構造を設けたクロスシ−トや化学繊維シ−トや合成樹脂シ−トを利用して製作した形状記憶加工シ−ト。
【請求項２】
上記、請求項１の形状記憶加工シ−トを利用して製作したシェ−ドセイル。
【請求項３】
上記、請求項１の形状記憶加工シ−トを利用して製作したオ−ニング。
【請求項４】
上記、請求項１の形状記憶加工シ−トを利用して製作したパラソル。
【考案の詳細な説明】
【技術分野】
【０００１】  灼熱の直射日光による高温度直射熱を吸収キ−プし難いクロスシ−トや化学繊維シ−トや合成樹脂シ−トのＲ＆Ｄプロダクトに係わる。
【背景技術】
【０００２】  既存のシェ−ドセイルやオ−ニングやパラソルは灼熱の直射日光による高温度直射熱を吸収キ−プして、高温度直射熱を日陰エリア内に放出熱射します。よって日陰エリアは日陰エリア以外の地上気温よりも高温になって、より暑くなります。灼熱の直射日光による高温度直射熱を吸収キ−プし難い構造を設けたクロスシ−トや化学繊維シ−トや合成樹脂シ−トが希求される。
【考案の概要】
【考案が解決しようとする課題】
【０００３】  灼熱の直射日光を分散遮断して、高温度直射熱を吸収キ−プし難い構造を設けたクロスシ−トや化学繊維シ−トや合成樹脂シ−トの製作。
【問題を解決するための手段】
【０００４】  無数の木の葉が立体的に重なり合って、灼熱の直射日光を分散遮断して、遮熱効果や放射熱抑制効果や通風性に優れた構造に相似形するシェルビンス−のギャスケットを応用した三角錐４面体の、フラクタル３次元構造を単純化した構造を設けたクロスシ−トや化学繊維シ−トや合成樹脂シ−トを利用した形状記憶加工シ−ト。
【考案の効果】
【０００５】  シェルビンスキ−のギャスケットを応用した三角錐４面体の、フラクタル３次元構造を単純化した構造を設けたクロスシ−トや化学繊維シ−トや合成樹脂シ−トで製作した形状記憶加工のシェ−ドセイルやオ−ニングやパラソルは灼熱の直射日光を分散遮断して通風性が良く、優れた遮熱効果や放射熱抑制効果で、より爽快で快適な日陰エリアでのライフスタイルをエンジョイできます。また通風性に優れているので強風や突風にも適宜ム−ズに対応できます。今や国内外ともに大きな社会問題になっているヒ−トアイランド温室効果抑制ｅｃｏ省エネにも貢献できます。
【図面の簡単な説明】
【０００６】
【図１】フラクタル図形の一種の、シェルビイスキ−のギャスケットを応用した三角錐４面体の、フラクタル３次元構造を単純化して、図形を省略したビニ−ルシ−トの平面立体図。
【図２】シェルビンスキ−のギャスケットを応用した三角形の、フラクタル２次元構造のビニ−ルシ−トを上記図１のビニ−ルシ−トの上部に付着したビニ−ルシ−トの平面図形。
【図３】上記、図２のビニ−ルシ−トの、図形を省略した側面図。
【図４】上記、図１を真下から視た底面の平面図形。
【図５】シェルビンスキ−のギャスケット三角図形。
【図６】シェルビンスキ−のギャスケット三角錐４面体の、図形を省略した平面立体図。
【図７】シェルビンスキ−のギャスケット三角錐４面体の、図形を省略した側面立体図。（シェルビンスキ−のギャスケット三角錐４面体は、正確な作図は不可能）
【符号の説明】
【０００７】１・・・・・三角錐４面体の、三角鈿の底辺
２・・・・・三角錐４面体の、三角錐と三角錐間の空間部
３・・・・・三角錐４面体の、三角錐の線分
４・・・・・三角錐４面体の、三角錐の３本の線分の、合致頂点
５・・・・・図２の、シェルビンスキ−のギャスケットを応用した三角形の、フラクタル            ２次元構造のビニ−ルシ−ト側面図。
６・・・・・三角錐４面体底部の、三角図形の空気流通可能、空間部分
７・・・・・三角錐４面体底部の、三角図形の空気流通不能、遮断部分
８・・・・・シェルビンスキ−のギャスケットを応用した三角形の、フラクタル２次元構            造のビニ−ルシ−ト図形の空気流通可能、空間部分
９・・・・・シェルビンスキ−のギャスケットを応用した三角形の、フラクタル２次元構            造のビニ−ルシ−ト図形の空気流通不能、遮断部分
【図１】
0003169150.tif 000003
【図２】
0003169150.tif 000004
【図３】
0003169150.tif 000005
【図４】
0003169150.tif 000006
【図５】
0003169150.tif 000007
【図６】
0003169150.tif 000008
【図７】
0003169150.tif 000009
【手続補正書】
【提出日】平成23年3月5日(2011.3.5)
【手続補正１】
【補正対象書類名】明細書
【補正対象項目名】０００４
【補正方法】変更
【補正の内容】
【０００４】  無数の木の葉が立体的に重なり合って、灼熱の直射日光を分散遮断して、遮熱効果や放射熱抑制効果や通風性に優れた構造に相似形の、フラクタル図形の一種の、シェルビンスキ‐のギャスケットを応用した三角錐四面体の、フラクタル３次元構造を単純化した構造を設けたクロスシ‐トや化学繊維シ‐トや合成樹脂シ‐トを活用した形状記憶加工シ‐ト。
【手続補正２】
【補正対象書類名】明細書
【補正対象項目名】０００５
【補正方法】変更
【補正の内容】
【０００５】  シェルビンスキ‐のギャスケットを応用した三角錐四面体の、フラクタル３次元構造を単純化した構造を設けた形状記憶加工の、クロスシ‐トや化学繊維シ‐トや合成樹脂シ‐トで製作したシェ‐ドセイルやオ‐ニングやパラソルは灼熱の直射日光を分散遮断して通風性が良く、優れた遮熱効果や放射熱抑制効果で、より爽快で快適な日影エリアでのライフスタイルをエンジョイできます。通風性に優れているので強風や突風にも適宜スム‐ズに対応できます。今や国内外ともに大きな自然環境の悪化ヒ‐トアイランド温室効果抑制ｅｃｏ省エネに貢献します。
【手続補正３】
【補正対象書類名】明細書
【補正対象項目名】０００６
【補正方法】変更
【補正の内容】
【０００６】
【図１】フラクタル図形の一種のシェルビンスキ‐のギャスケットを応用した三角錐四面体の、フラクタル３次元構造を単純化して三角錐図形を省略したビニ‐ルシ‐トの平面立体図。
【図２】上記、図１のビニ‐ルシ‐トの、三角錐図形を省略した側面図。
【図３】上記、図１のビニ‐ルシ‐トを真下から視た三角錐四面体の、平面図形。
【図４】シェルビンスキ‐のギャスケット三角図形。
【図５】シェルビンスキ‐のギャスケット三角錐四面体の、図形を省略した平面立体図。
【図６】シェルビンスキ‐のギャスケット三角錐四面体の、図形を省略した側面立体図。
【手続補正４】
【補正対象書類名】明細書
【補正対象項目名】０００７
【補正方法】変更
【補正の内容】
【０００７】  １・・・・・三角錐の底辺
２・・・・・三角錐の線分
３・・・・・三角錐の線分の、合致頂点
４・・・・・空気流通可能空間部
５・・・・・空気流通不能遮断部
【手続補正５】
【補正対象書類名】実用新案登録請求の範囲
【補正対象項目名】全文
【補正方法】変更
【補正の内容】
【実用新案登録請求の範囲】
【請求項１】
シェルビンスキ‐のギャスケットを応用した三角錐四面体の、フラクタル３次元構造を単純化した構造を設けたクロスシ‐トや化学繊維シ‐トや合成樹脂シ‐トを活用して製作した形状記憶加工シ‐ト。
【請求項２】
請求項１のシ‐トの、三角錐四面体の底面の、三角図形を除去した形状記憶加工シ‐ト。
【請求項３】
請求項１の、形状記憶加工シ‐トの空気流通可能空間部の三角形状をハ‐ト形状にする。
【請求項４】
請求項１の、形状記憶加工シ‐トの空気流通可能空間部の三角形状をクロ‐バ‐形状にする。
【請求項５】
請求項１の、形状記憶加工シ‐トの空気流通可能空間部の三角形状をダイヤ形状にする。
【請求項６】
請求項１の、形状記憶加工シ‐トの空気流通可能空間部の三角形状をスペ‐ド形状にする。
【請求項７】
請求項１の、形状記憶加工シ‐トの空気流通可能空間部の三角形状を円形状にする。
【請求項８】
請求項１の、形状記憶加工シ‐トの空気流通可能空間部の三角形状を星形状にする。
【手続補正７】
【補正対象書類名】図面
【補正対象項目名】全図
【補正方法】変更
【補正の内容】
【図１】
0003169150.tif 000010
【図２】
0003169150.tif 000011
【図３】
0003169150.tif 000012
【図４】
0003169150.tif 000013
【図５】
0003169150.tif 000014
【図６】
0003169150.tif 000015
【手続補正書】
【提出日】平成23年4月21日(2011.4.21)
【手続補正１】
【補正対象書類名】明細書
【補正対象項目名】０００４
【補正方法】変更
【補正の内容】
【０００４】  無数の木の葉が立体的に重なり合って灼熱の直射日光を分散遮断し、遮熱効果や放射熱抑制効果や通風性に優れた構造に相似形の、フラクタル図形の一種の、シェルビンスキ−のギャスケットを応用した三角錐４面体３次元構造を設けた形状記憶加工クロスシ−ト。
【手続補正２】
【補正対象書類名】明細書
【補正対象項目名】０００５
【補正方法】変更
【補正の内容】
【０００５】  シェルビンスキ−のギャスケットを応用した三角錐４面体３次元構造を設けた形状記憶加工クロスシ−トで製作したシェ−ドセイルやオ−ニングやパラソルは灼熱の直射日光を分散遮断して通風性が良く、優れた遮熱効果や放射熱抑制効果で、より爽快で快適な日影エリアでのライフスタイルをエンジョイできます。通風性に優れているので強風や突風にも適宜スム−ズに対応できます。今や、国内外ともに大きな自然環境の悪化ヒ−トアイランド温室効果抑制ｅｃｏ省エネに貢献します。
【手続補正３】
【補正対象書類名】明細書
【補正対象項目名】０００６
【補正方法】変更
【補正の内容】
【０００６】
【図１】フラクタル図形の一種の、シェルビンスキ−のギャスケットを応用した三角錐４面体３次元構造の、三角錐図形を省略した形状記憶加工クロスシ−トの平面立体図。
【図２】上記、図１の形状記憶加工クロスシ−トの、三角錐図形を省略した側面図。
【図３】上記、図１の形状記憶加工クロスシ−トを真下から視た三角錐４面体の底面図形。
【図４】シェルビンスキ−のギャスケット三角図形。
【図５】シェルビンスキ−のギャスケット三角錐４面体の、図形を省略した平面立体図。
【図６】シェルビンスキ−のギャスケット三角錐４面体の、図形を省略した側面立体図。
【手続補正４】
【補正対象書類名】明細書
【補正対象項目名】０００７
【補正方法】変更
【補正の内容】
【０００７】  １・・・・・三角錐の底辺  ２・・・・・三角錐の線分  ３・・・・・三角錐の線分の、合致頂点  ４・・・・・空気流通可能空間部  ５・・・・・空気流通不能遮断部
【手続補正５】
【補正対象書類名】実用新案登録請求の範囲
【補正対象項目名】全文
【補正方法】変更
【補正の内容】
【実用新案登録請求の範囲】
【請求項１】
三角錐４面体である空気流通不能遮断部を、シェルビンスキ−のギャスケット状に配置してなる形状記憶加工シ−ト。
【請求項２】
請求項１記載のシ−トにおいて、前記三角錐４面体の底面部分の三角図形を除去したことを特徴とする形状記憶加工シ−ト。